(57)【特許請求の範囲】
【請求項１】
電気機器とアダプタとコードとを保管する装置において、
前記電気機器を保管する内側空間を定義する機器保管容器と、
少なくとも二つの互いに反対側の端部を有する平坦なベースと、そのベースに対して回転可能に結合される保持部材とを有するコード保管具であって、前記互いに反対側の端部のそれぞれは人の指の凸形状に適合してこれを受容する少なくとも二つの窪み形状を定義するものである、前記コード保管具と、
前記コード保管具の前記保持部材にインタフェースして着脱可能にこの保持部材を受け止めるように構成された、前記機器保管容器の外表面上のラックと、
を有することを装置。
【請求項２】
請求項１の装置において、前記ベースは、前記窪みから前記保持部材に向かって伸びる指グリップを有することを特徴とする装置。
【請求項３】
請求項１の装置において、前記保持部材は、
スプールの一端に固定され前記平坦なベースにほぼ平行な、平坦なフランジと、前記コードを前記スプールに巻き取るために前記固定されたフランジの外周近くに取り付けられたハンドルと、を有する前記スプールと、
前記固定されたフランジに設けられた、前記コードの一端を着脱可能に把持するための第１のノッチおよび前記コードの他の一端付近を着脱可能に把持するための第２のノッチと、
を有することを特徴とする装置。
【請求項４】
請求項３の装置において、前記平坦なベースは、そのベースから延びて前記スプール内で同軸に受け取られる軸部材を有することを特徴とする装置。
【請求項５】
請求項３の装置において、前記ベースは、前記窪みのそれぞれから前記保持部材に向かって延びる指グリップを有することを特徴とする装置。
【請求項６】
請求項３の装置において、前記ハンドルは回転可能に取り付けられていることを特徴とする装置。
【請求項７】
電気機器に取り付けられた状態で電気機器のコードを保管する電気コード保管具において、
この保管具は、二つの互いに反対側にある端部を具備する平坦なベースを有し、このベースは、前記互いに反対側の端部のそれぞれが人の指の凸形状を受け、前記コードを前記コード保管具に取り付ける助けとなる少なくとも二つの窪み形状を定義するものであって、
また、前記保管具は、前記ベースに対して回転可能に結合された保持部材を有し、その保持部材は、
スプールの第１の端部に固定された平坦なフランジと、前記コードを前記保持部材に巻き取るために前記固定された平坦なフランジの外周近くに取り付けられたハンドルと、を有する前記スプールと、
前記固定されたフランジに設けられた、前記コードの一端を着脱可能に把持するための第１のノッチおよび前記コードの他の一端付近を着脱可能に把持するための第２のノッチと、
を有することを特徴とする電気コード保管具。
【請求項８】
請求項７の電気コード保管具において、前記保持部材は、機器保管容器の外表面にあるラック内に受容されることができることを特徴とする電気コード保管具。
【請求項９】
請求項７の電気コード保管具において、前記保持部材の前記固定された平坦なフランジは、機器保管容器の外表面にあるラック内に受容されることができることを特徴とする電気コード保管具。
【請求項１０】
請求項７の電気コード保管具において、前記平坦なベースは、そのベースから延びて前記スプール内で同軸に受け取られる軸部材を有することを特徴とする電気コード保管具。
【請求項１１】
請求項７の電気コード保管具において、前記ベースは、前記窪みのそれぞれから前記保持部材の前記平坦なフランジに向かって延びる指グリップを有することを特徴とする電気コード保管具。
【請求項１２】
請求項７の電気コード保管具において、前記ハンドルは回転可能に取り付けられていること、を特徴とする電気コード保管具。
【請求項１３】
電気機器保管容器の外表面に取り付けるための電気コード保管具において、
その電気コード保管具は、ベースと、そのベースに取り付けられた保持部材とを有し、
その保持部材は、
電気コードを、把持し、前記電気コード保管具に巻き取って保管するための、前記保持部材上のコード保管手段と、
前記コード保管具を機器保管容器にインタフェースし、取り付けるための、前記保持部材上の保管容器取り付け手段と、を有し、
この保管容器取り付け手段は前記機器保管容器の外側に付けられたラックを有し、そのラックは、前記保持部材をインタフェースし、受容し、保持するように形成され、前記保持部材は、前記保管容器の外側の前記ラックにインタフェースし、取り付けられるように適合して構成され、
前記ベースは、前記コードが前記コード保管手段に巻き取られているときに、手動のガイドをし、操作者に前記コードの張力の直接感覚的フィードバックを提供する手段を有し、
前記手動のガイドをしフィードバックを提供する手段は、
人の指の凸形状に適合してこれを受容する二つの窪みをそれぞれに有する、前記ベースの対向する二つの端部と、
前記ベースの前記窪みそれぞれに固定された指グリップと、
を有することを特徴とする電気コード保管具。
【発明の詳細な説明】
技術分野
この発明は、電力機器に関し、特に、小型の電気・電子機器およびその電源コードおよびアダプタを収納し、取り扱い、保管するための保管装置システムの改良に関する。
発明の背景
工業化された社会において、工場のみならず、オフィスや学校、家庭でも、多数の小型電気機器が使用されている。たとえば、ヘアドライヤ、ひげ剃り機、ヘアクリッパ、カーリングアイロン、爪磨き機、電気歯ブラシ、アイロン、にかわガン、スプレイ、ミキサ、電気ナイフ、スライサ等が普及している。各機器は、それぞれの自由な（ゆるやかな）電源コードを必要としている。さらに、新しい世代の超小型の電子機器、たとえば、カセットプレーヤ、CD−ROM駆動機、携帯電話機、デスクトップやラップトップの計算機、コンピュータゲーム機、ゲームコントローラ、充電器、変換器、アダプタ、インタフェースモジュール等はそれぞれが電源コードを必要とする。多くの超小型機器は、変換器、アダプタあるいは充電器を必要とするが、それらは、機器の体積を小さくするために、その機器に取り付けるのでなく、電源コードに取り付けることが多い。携帯用計算機は、別個の携帯用モジュール、ディスク駆動機、モデム、およびインタフェースターミナルを有し、これらは種々の形状のコードやアダプタを必要とする。
多くの家庭では、各人が種々の自分の電気・電子機器を持っている。たとえば、自分のヘアドライヤ、ひげ剃り機、電気歯ブラシ、電卓、カセットプレーヤ、CD駆動機、ゲームカートリッジ、ゲームコントローラや電話機である。特に若い人々は、ますます多くの小型機器、電子おもちゃ、ゲーム、ゲームコンソール、ゲームコントローラ、音楽機器その他の電源コード、アダプタ、変換器や充電器を必要とするものを持つようになっている。その結果、家庭内に、電気・電子機器、電源コードやアダプタの引き出しや箱が多数必要になっている。
各電気機器はそれぞれの自由な電源コードを必要とする。これまでに、インタフェースを有し、機器、コードおよび保管モジユールをきちんと並べて収納・保管するための保管箱棚を有する着脱可能な保管システムについての開示はなかった。
生活のペースがますます速くなるにつれて、自由なコードやアダプタを有する小型電気機器が雑然とした状態を最小限に抑える必要が増している。しかし、これまで、この課題を解決するものはなかった。電源コードやアダプタや電気機器の引き出しは増え続けている。ある小型電気機器メーカの重役は、「産業界の一つの問題は、多種類の電源コードの迷路をどうするかという悪夢である。」とコメントしたことがある。小型電気機器、電源コードおよびアダプタを効率よく取り扱うための、そして特に、自由な電源コードを保管するための、システム、機器、および方法が所望されている。
発明の開示
この発明の一つの態様によれば、インタフェースされ着脱可能な保管具と、保管箱容器と、ラックとを有する保管システムは、電気機器のコードを巻き取って保管し、その機器とアダプタを効率よく、保管箱ラックの中とその上に保管できる。コードをその上に保管するコード保管モジュールは、機器に改造や物理的改変を加えることなしに、選択された機器に適合する。このモジュールは、迅速操作のフック・ループ紐によって、その機器にインタフェースし、再度の取り付けができ、こうして、各コードを効率よくその機器とともに保管できる。
この発明の他の態様によれば、インタフェースで着脱可能な、電源コードを巻き取って手で持てる保管具は、その保管具の一つのフランジ上にあるレールによって、保管箱内およびラックへのアタッチメント内に効率よく保管することができる。レールまたは同等のアタッチメント手段は、一連の適合スロット等のラック、またはラックの上の同等のアタッチメント具によってインタフェースする。
この発明の他の態様によれば、電源コードを巻き取った保管具は、その対応する機器にインタフェースし、一体ユニットとして取り付けられ、そのユニットは、特別の保管箱ラックの中に、そしてそのラックに取り付けられて、効率よく保管できるものである。
この発明の他の態様によれば、この、インタフェースされて取り付けられ、着脱可能で、電源コードを巻き取った、片手で持てる保管具は、秩序よく、そして取り出しやすいように、機器に取り付けることも、また、保管ラックに取り付けることも可能である。
この発明の他の態様によれば、電源コード保管具は、レールブラケットを必要としないで、保管箱容器の外側に直接取り付けられる保持部材フランジを有する。インタフェースパッド、フック・ループ紐、および、レールすなわち「レール・ブラケット」は、この保管具から取り除かれており、この保管具の回転部材（すなわち保持部材）は、保管箱容器の前板のスロットすなわちインタフェースラックに、直接適合することができる。インタフェースラックは保持部材を受容するような形状を有し、容器の前端は、保管具の回転ノブを受容する形状であり、保管具が外側に直接取り付けられたとき、ノブがその前端を超えて保管容器の中へ延びることを許容する。保持部材は、容器の前面のインタフェースラックの中へ直接滑り込む。
この発明の他の態様によれば、電源コード保管具の上の指グリップは、操作者の片手の複数の指に合わせて持たれるように、人間工学的にデザインされ、形状を決められたもので、その保管具を持っている複数の指の間に開口部を作り、電源コードがスプールすなわち保持部材に巻き取られているときに、そのコードの流れを、指が効率よく受け入れて制御し、コードが保管具に巻き取られている間に、電源コードの張力の直接的感覚を操作者にフィードバックするようになっている。この実施の形態では、ベース上に４個の指グリップがあり、各指グリップは、人の指の自然な形状を受け入れるように凹面状に湾曲している。ベースの対向する二つの側面上に１対の指グリップが対向して取り付けられている。ベースの対向する二つの端部は二つの窪みを有するような形状をなし、各窪みは、人の指の凸形状と適合してこれを受容するような形状になっていて、保管具が片手で握られて保持されるようになっている。指グリップは、ベースの前記窪みそれぞれの位置に固定される。電源コード保管具のベースは、片手の指で保持される一方で、他方の手は、回転部材のノブを回し、コードを保管具に巧みに巻き取る。片手で保持したベースによって、スプールすなわち保持部材にコードが巻き取られているときに入ってくるコードは、その手の指の間を軽く滑らかに動き、指と保持部材の指グリップの間の開口にガイドされる。それにより、操作者は、コードの張力およびコードの流れの方向の制御をすることができ、コードが、適当に引っ張られた状態で、スプールに巻かれるようにし、もつれを無くし、スプール上でコードをまっすぐにし、滑らかにすることができる。これにより、自由な電源コードを巻き取って保管することの効率、容易さ、便利さが増す。
【図面の簡単な説明】
図1aは、この発明の一実施形態を形成する非回転可能な保管具10の等角斜視図である。
図1bは、非回転可能な保管具30を、電源コードがない状態で、電気機器への取り付け（インタフェース）のための紐を付けた状態を示す等角斜視図である。
図1cは、保管具30の保持部材に通常の電源コードが巻かれた状態を示す等角斜視図である。
図2aは、この発明の他の実施形態を形成する、保管箱ラックに取り付け可能な回転可能な保管具40の側面図である。
図2bは、保管具40と同様のものに、通常の電気機器への取り付け（インタフェース）のための迅速操作のフック・ループ紐（マジックテープ）を付けた、回転可能な保管具50の等角斜視図である。
図2cは、保管具50の保持部材に通常の電源コードが巻かれた状態を示す等角斜視図である。
図３は、回転可能な保管具50を、たとえば電気ヘアドライヤ等の通常の電気機器のハンドルに取り付けた状態を示す等角斜視図である。
図４は、保管ラックのためのレールブラケットのレールを有する非回転可能な保管具10の等角斜視図であって、交流から直流に変換する必要のある電気機器の電源コードおよび変換器も示し、そのコードの変換器側端部が片側のフランジのノッチに把持された状態を示す。
図５は、本発明の他の態様としての保管箱ラック100の等角斜視図であって、通常の電気機器を保持し、保管し、インタフェースするための箱とラックを、前記保管具のレールブラケットのレールとともに示す。
図６は、保管箱ラック100の等角斜視図であって、通常の電気機器を保管箱ラックの中及び上に保管し適用する典型的な状況におけるこの発明の保管システムの構成要素の使用状況を示す。
図7aは、この発明の他の実施形態を形成する、インタフェースパッドとレールブラケットと迅速ラッチング紐とを取り除いた回転可能な保管具250の側面図であって、保管箱収納容器へ保管具を直に取り付ける他の態様を示す。
図7bは、回転可能な保管具250の等角斜視図であって、他の実施の形態として、前記保管具を保持し、電源コードを保持部材の上にガイドし、電源コードが保管具に巻き取られるときに、電源コードの張力の直接的な感覚を操作者にフィードバックするための人間工学的な指グリップを示す。
図7cは、保管具250の追加の等角斜視図であって、保持部材に通常の電源コードを巻き付けた状態を示す。
図８は、回転可能な保管具250に電源コードが巻き付けられ、その電源コードをその通常の電気機器に取り付けた状態を示す等角斜視図であって、電源コードが保持部材すなわちスプールに巻き付けられ、保持部材のフランジの一つのノッチにコードのプラグ側の端部が把持され、機器側の端部がもう一つのノッチに把持された状態を示す。
図９は、回転可能な保管具250の等角斜視図であって、交流から直流への変換を必要とする通常の電気機器の電源コードおよび変換器を示し、コードのプラグ側の端部がフランジの一つのノッチに把持され、変換器側の端部がもう一つのノッチに把持された状態を示す。
図10は、本発明の他の実施の形態としての保管箱収納器500の等角斜視図である。ここでは空の状態を示すが、通常の電気機器、アダプタ、保管具を保持し、保管し、インタフェースできるもので、電源コード保管具250の保持部材214に直接インタフェースしフィットする前面のインタフェースラックすなわちスロットを有する。これがない場合には必要となるレールブラケットは有していない。
図11は、保管収納器500の等角斜視図であって、この発明の改良保管システムの通常の使用状況を示す。電源コードが保管具250に巻き付けられ、電気機器およびアダプタが電気機器保管収納器500の内側に収容されるときの、通常の状態における通常の電気機器が含まれている。コードの付いた機具が、収納器のインタフェースラック512、514、516いずれかの上で収納器500の外側にインタフェースされ適合されている。
発明を実施するための好ましい実施の形態
ここでは、図面を参照しながら説明する。複数の図において、類似あるいは対応する部品（部分）については同じ符号を用いる。図1aは、この発明の一実施の形態をなす保管具10の空の状態すなわち電源コードのない状態を示す。
図1aは空の保管具10の等角斜視図であって、電源コードはなく、保持部材12があり、その一方の端には非回転フランジ14があり、他方の端には非回転フランジ16がある。フランジ14には、保持部材12に巻き付けられるべき通常の電源コード（図1aには示していない）の端部を把持するためのノッチ（刻み目）18、20が設けられている。レールブラケット22、24が、フランジ14に固定されているのが示されている。ブラケット22、24は、図５および図６に示すように保管箱100のスロット112−114内に適合する構造になっている。
図1bおよび図1cは、この発明の他の実施の形態の保管具30の斜視図である。図1bでは、保管具30は空であって電源コードはなく、保持部材12を示すために、フランジ14、16の一部を切り欠いてある。他の図も同様である。保管具30は、図1aの保管具10の他の実施の形態である。保管具30では、通常の電気機器とのインタフェースのために、接触面36aが選択されている。フランジ14は、表面36aで、弾力のあるインタフェースパッド36と適合され、インタフェースパッド36は、図３に示すように、圧縮されて、ハンドル74の形状と同形状になりうる。レールブラケット22、24は、図３に示すように、通常の電気機器72のハンドル74と並ぶような形状であってそのように配置される。また、接触面36aは、弾力があって相手の形状に適合するパッド36及びレールブラケットのレール22、24と協動して凹形のインタフェースポケットを形成する。このインタフェースポケットは、通常のヘアドライヤ72等の選択された通常の電気機器のハンドル74等の選択された部分と適合するような形状になっている。柔らかい紐32と34は、それぞれ、図３に示すようにハンドル74への取り付け具39として、フランジ14およびレールブラケット22、24に固定されている。それらは、たとえばハンドル74に巻き付けられ、着脱可能に取り付けられる。
図1bの実施の形態において、図３のように保管具30をハンドル74に取り付ける手段は、迅速操作のプラスチック製フック・ループ具（マジックテープ）を有する柔らかい紐32、34であるが、これは、当業者によく知られた他の取り付け手段、たとえば、バックル付きの紐やその他の同等の取りつけ手段であってもよい。
図1cは、保管具30に通常の電源コード70を保管した状態を示す等角斜視図であって、電源コード70は、フランジ14と16の間で保持部材12の周りに巻き付けられている。ただしこの図では、保持部材12は電源コード70の下に隠れている。図1cでは、電源コード70の一端はノッチ18に着脱可能に把持され、電源コード70の他端は同様にノッチ20に把持されている。
図2aは、回転可能な保管具40を示すもので、これは、保持部材12と、この保持部材12の一端に固定されたフランジ14と、保持部材12の他端にピボットピン44によって回転可能に取り付けられたフランジ42とからなる。ノブハンドル46は、フランジ14の外側部分に回転可能に取り付けられ、これによって、フランジ14と保持部材12とを、ピボットピン44の周りにフランジ42に対して手動で回転させることができるようになっている。レールブラケット24およびこれと同様の通常のレールブラケット22（図2aでは見えない）はフランジ14に固定されている。これらは、保管具40を図５に示す保管箱100の適合するスロット112−114の中に合わせるためのものである。
図2bは、この発明の他の実施の形態としての回転可能な保管具50を示すもので、保管具50は、図2aの回転可能な保管具40と類似のものである。保管具50において、レールブラケット22、24は、図３に示すように、通常の電気機器72のハンドル74と並ぶように配置されている。弾力性のあるインタフェースパッド36は、レールブラケット22と24の間の表面36aでフランジ14に適合し固定されていて、プラスチックスポンジ等の弾性材料でできており、図３に示すように、ハンドル74の形状に合わせて圧縮されうる。弾力性があって適合した形状を取りうるパッド36の接触面36aと、サイドレール22および24は、これらが一体で、ハンドル74等の選択された部分に適合する形状の凹形のインタフェースポケットを形成する。図2bに示すように、柔らかい紐32および34は、それぞれ、フランジ14とレールブラケット22、24に固定されている。これらの紐は、図３に示すように、たとえばハンドル74の周りに巻いて、着脱可能に取り付けられる。
図2bでは、図３に示されたようなハンドル74に保管具50を取り付けるための手段は、柔らかい迅速操作のプラスチック製フック・ループ具を有する柔らかい紐32、34として開示されている。この取り付け手段は、当業者によく知られた他の取り付け手段、たとえば、バックル付きの柔らかい紐、クランプ、把持具やその他の同等の取りつけ手段であってもよい。
回転可能な保管具50の図2cは、通常の電源コード70をフランジ14と16の間で保持具12の上に巻き付けることによってその電源コード70が保管されるようすを示している。電源コードの一方の端部70aは着脱可能にノッチ18に把持され、他方の端部は同様にノッチ20に把持される。
図３は回転可能な保持具50を示すものであって、レールブラケット22、24と弾力性のあるインタフェースパッド36とによって、通常の電気機器72の通常のハンドル74にインタフェースし、適合した状態を示す。インタフェースパッド36は、図３に示すように、ハンドル74の形状に合わせて弾力的に適合した形状になり、たとえば紐32、34（この実施の形態では、柔らかい迅速操作のプラスチック製フック・ループ具を有する）などの周知の取り付け手段によって着脱可能にハンドル74に取り付けられる。
図４はこの発明に係る保管具10を示すもので、変換器80等の通常の電気機器用の通常の電源コード82を保管するために、その電源コード82を保持部材12の周りに巻き付けることによって、保管具10がどのように使用されるかを示す。保持部材12は、この図では電源コード82の下に隠れている。電源コード82はフランジ14および16の間に巻き付けられ、電源コード82の変換器側の端部86はノッチ18に把持され、プラグ側の端部84はノッチ20に把持されている。この発明で開示されたことから明らかなように、他の実施の形態の保管具10、30、40、50および他の同等の実施の形態も同様に、他の小型電気機器および電子機器の電源コードの保管に使用できる。電源コードには、アダプタ、変換器、充電器（たとえば変換器80）が固定的に取り付けられた電源コードも含まれる。
図４には、１対の指グリップ88aおよび88bを、フランジ16の互いに反対側の内面に取り付けるようすも示している。これは、電源コード82を保持部材12（図４では示されていない）に手動で巻き付けるときに保管具10を片手に持ちやすくするためのものである。同様に、片手で持ちやすくするために、保管具30のフランジ16に、保管具40のフランジ42に、また保管具50についても同様に、指グリップ88aおよび88bを取り付けてもよい。
図５は保管箱100を示し、これは、背板102、右側板104、左側板106、底板108、前板110とを有する。前板110には、左Ｔ字形フランジ112、左中央Ｔ字形フランジ113、右中央Ｔ字形フランジ116、右Ｔ字形フランジ118が取り付けられ、これらは、図５に示すように、適合スロット112−114、114−116、116−118をそれぞれ形成するように作られ、配置されている。各スロット112−114、114−116、116−118はそれぞれ、停止部120、122、124で閉じられている。
図５には、保管具10および保管具140も示され、それらがそれぞれ、スロット112−114および114−116の上方の延長線上に模式的に示されている。これらは、図６に示すように、保管のためにスロット112−114および114−116にはめ込まれるべきものである。図５および図６に示す保管具140の実施の形態は、図2aの回転可能な保管具40と同様のものである。
図６は、この実施の形態の保管箱100の追加の図であって、ヘッドホン150等の小型電気機器の電源コード152を保管具10に巻き付けた状態で、保管具10をスロット112−114に保持している。そして、ヘッドホン150は保管箱100の中に保管されている。同様に、図６はまた、保管箱100が、たとえば変換器80等の通常の小型電気機器等の電源コード82を巻き付けた保管具140を保持していることも示している。変換器80は保管箱100内に保管され、レールブラケットはスロット114−116内に適合される。
説明が若干重複するが、回転可能な保管具50は、通常の電気ヘアドライヤ72の通常のハンドル74に取り付けられ、しかもヘアドライヤの改造は全く不要である。通常の電源コード76を巻き付けられた保管具50は、自分自身の手段で、通常のヘアドライヤ機器72のハンドル74にインタフェースして取り付けられる。図2b、図2c、図３に示す回転可能な保管具50は、レールブラケット22、24を有し、これにより、図５の保管箱100のスロット112−114とインタフェースしてそのスロット112−114内に適合される。スロット114−116およびスロット116−118に対しても同様である。このようにして、回転可能な保管具50とこれに巻き取られた通常の電源コード70は、これを、図６の保管具10、140と同様にスロット116−118に差し込むことによって保管できる。
図2bで、保管具50は、保持部材12と、この保持部材12の一方の端部に固定された第１のフランジ14とを有する。第２のフランジ42は、保持部材12のもう一方の端部に、ピボットピン44（図2bと図2cでは見えない）によって、回転可能に取り付けられている。第１のノッチ18が第１のフランジ14にあって、通常の電源コード70の一端を把持できるようになっている。同様に、第２のノッチも第１のフランジ14にあって、通常の電源コード70の他の一端を把持できるようになっている。ノッチ18、20は、コードがほどけるのを防いでコード70を保持部材12に固定するための同等の手段でよく、把持手段、止め手段、または楔手段でよい。保持部材12は、電源コード70が保管具50に巻き付けられるときにその電源コード70を受け取るような形状をしている。
ノブハンドル46は、回転しない第１のフランジ14の外周近くに回転可能に取り付けられている。ノブ46は、保持部材12を、それに固定されたフランジ14とともに、ピボットピン44の周りで、回転可能なフランジ42に対して手動で回転させるのに使用される。
インタフェース接触面36aは第１のフランジ14上に位置している。接触面36aは、弾力性があって相手の形状に適合するパッド36とサイドレール22、24と適合し、これらで、凹形のインタフェースポケットを形成する。このインタフェースポケットは、通常のヘアドライヤ72等の通常の電気機器のハンドル70等の部分に適合して変形する。
１対の紐32、34が、接触面36aの二つの対向する側面を包むように、第１のフランジ14に取り付けられている。自由な紐の端部32、34は、図３に示すように通常の電気機器72の選ばれた部分、たとえばハンドル74の周りを囲んで抱くことができるような構造になっている。紐32、34は、従来の紐材料、たとえば織物地、皮、またはプラスチック製であり、従来の締結具、たとえば、スナップ、バックルその他同等の手段で調節できる。この実施の形態では、紐32、34は、プラスチックと迅速取り付け（クイックラッチング）、複数フック対応複数ループ具締結手段（マジックテープ）からできていて、ベルクロ（Velcro）という商標で市販されているもので、迅速に取り付け取り外しが可能である。
保持部材12、フランジ14、16、ピボットピン44、ノブ46、レールブラケット22、24、そして同様に、保持部材214、ベース242、ノブ246、指グリップ248は、組立あるいは型取りに対して十分な強度を有する従前の材料、たとえば、木、金属およびプラスチックでよい。パッド36は、従前の軽量弾性材料、たとえばスポンジゴム、プラスチック等からできている。
図１〜６図および同様に図７〜11図に示す典型的な実施の形態においては、製造の容易性と経済性、信頼性、構造強度および軽量性から、この発明の構造部品はプラスチックと、これと同等の軽量耐久性材料からできている。
したがって、固定フランジ14、214および保持部材12は、たとえばプラスチックの一体（ユニット）型成形品である。このユニットは、ロータあるいは保持部材と呼んでもよく、前記固定フランジ14、214およびそれに固定されてロータの一部を形成する保持部材からなる。
取り付けは、電気機器を全く改造せずに行え、したがって、種々の小型電気機器にそのまま適用できる。この実施の形態で、保管具50は、特定の機器72の好ましい取り付け位置74を選択することによって、機器72とインタフェースできるように作られていてもよい。接触面36a、パッド36、レールブラケット22、24は、選択されたインタフェース部（図３の実施の形態ではハンドル74）の形状に合わせて変形し適合するような形状・構造になっている。
この発明のさらに別の実施の形態では、保管具50は、保管ラック100に取り付けできるようになっている。この実施の形態では、レールブラケット22、24は、保管スロット100の適合スロット112−114に適合するように、そしてその中に滑り込むような形状になっている。アクセスしやすくそして秩序良く保管するように、保管具50が選択された位置で保持されるように、スロット112−114、114−116は、レールブラケット22、24を受容して保持する。さらに他の実施の形態では、（図示はしないが、）サイドブレース22、24にレール22、24を設けないことにより、保管具50を保管ラック60に取り付けられるという能力を省いてもよい。あるいは、図７〜図11に示すように、保管具250を保管収納器500に取り付ける能力は、保持部材214とスロット512を以下に説明するように直接適用可能な形状とすることによって、レールブラケットなしで、達成することも可能である。
典型的な使用方法では、図2cおよび図2bに示すように、操作者は、空の保管具50のフランジ42部を片手で持つ。保管具50を、そして同様に、保管具40を片手で持ちやすいように、フランジ42、そして同様に、保管具10および30のフランジ16には、図４の保管具10のフランジ16の上に示されているように、指グリップ88a、88bが固定されていてもよい。電源コード70の自由な端部は、第１のノッチ18の中に押し込む。ノブ46をもう一方の手で握り、保持部材12が固定された第１のフランジ14を、ピボットの周りに回して、自由な長さのコード70をフランジ14と42の間の保持部材12に巻き付ける。巻き戻りを防ぐために、コード70の残っている端部をノッチ20の中に押し入れる。コード70を巻き取った保管具50を、接触面36a、パッド36、レールブラケット22、24に対して適当な位置に置き、選択された機器72の選択された部分74と適当な位置関係で接触するようにする。紐32、34の自由端部を、選択された部分74の周りに適当に抱かせ、しっかりと留める。このようにして、電源コード70は保管され、保管具50は、電気機器72と一体的な部分として取り付けられる。保管具10、30、40、50、140は、図５と図６に示すように、保管箱100内に入れ、また前記ラックに取り付けてもよい。
図７〜図11は、図１〜図６に示したこの発明の基本的な開示に対する他の実施の形態および追加の特徴を示す。
図7aは、他の実施の形態をなす回転可能な保管具250の側面図であって、保管箱収納器への保管具の他のインタフェースアタッチメントを示す。この実施の形態では、インタフェースパッド、レールブラケット、迅速ラッチング紐は取り除いてあり、したがって、保持部材のフランジ214の形状は、障害物のない平坦な面として示されており、したがってこの面が、図10および図11に示すように、インタフェースラック512、514、516のいずれかに、直接に適合できる。この実施の形態は、保管具250の構造を簡単化するもので、保管具250の取り扱いと、電源コードを巻き付ける保持部材214の回転を保証する。図10および図11に示すように、保管収納器500の前板の外側のラック512、514、516は、電源コード保管具250の回転部材214の平面フランジに適合して直接これらを収納する形状になっている。したがって、電源コードが保管具250に巻かれた後に、保管具250は収納器500の前板に平行な保持部材214とともに回転される。保持部材214のフランジ214は、ラック512あるいはラック514、516のいずれの中に直接滑り込んでもよい。図7aは、ベース242の側面図であり、人間工学的に設計された指グリップ248が取り付けられているようすを示す。各保管具250に全部で４個のグリップ248がある。
図7bは、回転可能な保管具250の等角斜視図であって、フランジ214の単純化した平面設計を示し、ベース242上には、人間工学的にデザインされ形状が決められた指グリップ248がある。指グリップ248は、電源コードが保持部材214に巻き取られている間、前記保管具250を操作者が片手で持つ手段を提供し、さらに、前記電源コードを操作者の指の間にガイドし、さらに保持部材214へとガイドする手段と、電源コードの張力およびその位置および状態の感覚を操作者に直接フィードバックする手段とを提供する。
発明者らは、この実施の形態で、保管具250を保持し、フランジ214のノッチ218に電源コードの端部を把持し、保持部材214の上でノブ248を回す効率が高められ、電源コードを保持部材214に効率よくガイドできることを見出した。指グリップは、指が機能する面に適合するようにデザインされ形状が決められている。これによって、保管具250をより巧みに取り扱うことができる。指グリップ248が保管具の適当な位置に取り付けられているので、保管具250を持っている一方の手の指が、同時に、コードをまっすぐに、滑らかに、具合よく維持するために使用できる。
この実施の形態で、保管具は、人間工学的に設計された指グリップ248によって、片手の指で握られ、コードが巻き取られている間、コードの張力の直接的感覚のフィードバックが操作者に与えられる。これにより、操作者は、保管具の上へのコードの流れと配置を制御し、方向付けることができる。ここでいう人間工学的とは、バイオテクノロジー（生物工学）、または、工学のこれに関する部分、そして特に機械設計に関する部分を、人体の機能および運動に適用することの意味である。人間工学は、生物学的あるいは工学的な力学および運動学のデータを、人と機械の相互調整に関する問題に適用することに関連する。
図7cは同様に、保管具250の等角斜視図であって、通常の電源コードを保持部材に巻き付けた状態を示す。図7cは、ベース242と、各保管具250に形成された４個の指グリップ248と、フランジ・保持部材214、回転ノブ246、ノッチ218、220を示し、さらに、保持部材214に巻かれた通常の電源コードが示されている。
図８は、回転可能な保管具250の等角斜視図であって、ベース242と、各保管具250に４個の形成された指グリップ248と、フランジ・保持部材214、回転ノブ246、ノッチ218、220を示し、さらに、電源コード付きのヘッドホンやイヤホン等の通常の電子機器の電源コードを示し、電源コードを保持部材214すなわちスプールに巻き付けた状態を示す。前記コードの機器側端部はフランジ214のノッチ218に保持され、プラグ側端部は他のノッチ220に保持されている。
図９は、回転可能な保管具250の等角斜視図であって、ベース242と、各保管具250に形成された４個の指グリップ248と、フランジ・保持部材214、回転ノブ246、ノッチ218、220を示し、さらに、交流から直流への変換を必要とする機器の電源および変換器を示す。前記コードの交換器側端部はフランジ214のノッチ218に保持され、のプラグ側端部は他のノッチ220に保持されている。
図10は、この発明の他の実施の形態としての保管箱収納器500の空の状態の等角斜視図であって、収納器500はその内部に通常の電気機器を保持し保管できる。また、その収納器500の前板の上のラック512、514、516が示されている。これらのラックは、レールブラケットを必要としないで、電源コード保管具250の保持部材214とインタフェースし適合することができる。図10はまた、二つの電源コード保管具250の模式的な配置をも示す。これらは、前記収容器の外側に保管具を保持するためにこの保管具を挿入することのできるそれぞれのインタフェースラックの真上の位置に示してある。
図11は、保管収納容器500の等角斜視図であって、この発明の他の保管システムの実施の形態の通常の使用状況を示す。電源コードが保管具250に巻き付けられる場合の通常の位置における通常の電気機器と、機器保管収納器500の内部に置かれ保管される機器およびアダプタとが示されている。そして、保管具250の周りのコードと、収納器500の外側に、そして収納器インタフェースラック512の上にあるいはラック514、516の上にインターフェースされ適合される保管具250とが示されている。
この発明の他の実施の形態において、保管スロット512、514、516はラックと呼ばれることもある。また、保管箱500は保管箱収納器500あるいは収納容器500と呼ばれることもある。同様に、ここに開示された内容から自明であって同等と考えられる他の呼び名が使われることもある。
以上、この発明の保管システムの構成要素および組み合わせの好ましい実施の形態および変形例を図面とともに説明したが、この発明はここに開示した実施の形態に限定されるものではない。この発明の考え方および教示から離れない範囲で、ここに示した機能、手段、方法及び結果と同様のものを得るために、他の種々の均等な構成、再構成、修正、部品および要素の差し替えも可能であり、これらは同様に、この発明の開示の範囲にある。
【図１ａ】
0003594089.tif 000002
【図１ｂ】
0003594089.tif 000003
【図１ｃ】
0003594089.tif 000004
【図２ａ】
0003594089.tif 000005
【図２ｂ】
0003594089.tif 000006
【図２ｃ】
0003594089.tif 000007
【図３】
0003594089.tif 000008
【図５】
0003594089.tif 000009
【図４】
0003594089.tif 000010
【図７ｂ】
0003594089.tif 000011
【図６】
0003594089.tif 000012
【図７ａ】
0003594089.tif 000013
【図７ｃ】
0003594089.tif 000014
【図１１】
0003594089.tif 000015
【図８】
0003594089.tif 000016
【図９】
0003594089.tif 000017
【図１０】
0003594089.tif 000018